(57)【要約】【課題】本発明は、広帯域無線接続システムに関し、より詳細には、領域変更を通したハンドオーバー遂行方法に関する。【解決手段】本発明に係る広帯域無線接続システムでレガシーサービング基地局から改善端末（ＡＭＳ）が領域変更を通したハンドオーバーを行う方法は、ターゲット改善基地局（ＡＢＳ）のレガシー領域（ＬＺｏｎｅ）から領域変更時点情報を含むレンジング応答メッセージ（ＲＮＧ−ＲＳＰ）を受信すること；及び前記領域変更時点情報が指示する時点で改善端末サポート領域（ＭＺｏｎｅ）への前記領域変更を開始すること；を含む。【選択図】図４
2013515426.tif 000002
【特許請求の範囲】
【請求項１】
（削除）
【請求項２】
（訂正）
広帯域無線接続システムでレガシーサービング基地局から改善端末（ＡＭＳ）が領域変更を通したハンドオーバーを行う方法において、
ターゲット改善基地局（ＡＢＳ）のレガシー領域（ＬＺｏｎｅ）から領域変更時点情報を含むレンジング応答メッセージ（ＲＮＧ−ＲＳＰ）を受信すること；及び
前記領域変更時点情報が指示する時点で改善端末サポート領域（ＭＺｏｎｅ）への前記領域変更を開始すること；を含み、
前記領域変更時点情報は、
前記領域変更を行うのに要求される領域変更情報（Ｚｏｎｅ  Ｓｗｉｔｃｈ  ＴＬＶ）の形態で前記レンジング応答メッセージに含まれることを特徴とする領域変更を通したハンドオーバー遂行方法。
【請求項３】
（変更なし）
前記領域変更を開始することは、
前記領域変更情報を用いて前記改善端末サポート領域のシステム情報を受信することであることを特徴とする、請求項２に記載の領域変更を通したハンドオーバー遂行方法。
【請求項４】
（変更なし）
前記領域変更を開始することは、
前記領域変更情報を用いて前記改善端末サポート領域にレンジング要請メッセージ（ＡＡＩ＿ＲＮＧ−ＲＥＱ）を伝送するための帯域幅を要請することであることを特徴とする、請求項２に記載の領域変更を通したハンドオーバー遂行方法。
【請求項５】
（変更なし）
前記領域変更情報は、
前記改善端末サポート領域で使用されるプリアンブルインデックス（ＭＺｏｎｅ  Ａ−Ｐｒｅａｍｂｌｅ  ｉｎｄｅｘ）情報、前記レガシー領域と前記改善端末サポート領域の区分境界を示すタイムオフセット情報、前記領域変更の過程で前記改善端末が前記レガシー領域との連結を維持するかどうかを指示する領域変更モード情報、前記改善端末サポート領域で臨時的に前記改善端末を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含む、請求項２に記載の領域変更を通したハンドオーバー遂行方法。
【請求項６】
（削除）
【請求項７】
（訂正）
広帯域無線接続システムで改善端末（ＡＭＳ）の領域変更を通したハンドオーバーをターゲット改善基地局がサポートする方法において、
レガシー領域（ＬＺｏｎｅ）を通して前記改善端末に領域変更時点情報を含むレンジング応答メッセージ（ＲＮＧ−ＲＳＰ）を伝送すること；及び
前記領域変更時点情報が指示する時点で改善端末サポート領域（ＭＺｏｎｅ）を通して前記改善端末サポート領域のシステム情報を放送すること；を含み、
前記領域変更時点情報は、
前記領域変更を行うのに要求される領域変更情報（Ｚｏｎｅ  Ｓｗｉｔｃｈ  ＴＬＶ）の形態で前記レンジング応答メッセージに含まれることを特徴とする領域変更を通したハンドオーバーサポート方法。
【請求項８】
（変更なし）
前記領域変更情報は、
前記改善端末サポート領域で使用されるプリアンブルインデックス（ＭＺｏｎｅ  Ａ−Ｐｒｅａｍｂｌｅ  ｉｎｄｅｘ）情報、前記レガシー領域と前記改善端末サポート領域の区分境界を示すタイムオフセット情報、前記領域変更の過程で前記改善端末が前記レガシー領域との連結を維持するかどうかを指示する領域変更モード情報、前記改善端末サポート領域で臨時的に前記改善端末を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含む、請求項７に記載の領域変更を通したハンドオーバーサポート方法。
【請求項９】
（変更なし）
前記領域変更モード情報が、前記領域変更の過程で前記改善端末が前記レガシー領域との連結を維持しないことを指示する場合、
前記基地局は、前記領域変更時点情報が指示する時点から前記改善端末に前記レガシー領域を通した資源割り当てを行わないことを特徴とする、請求項８に記載の領域変更を通したハンドオーバーサポート方法。
【請求項１０】
（訂正）
前記レンジング応答メッセージを伝送することは、
前記改善端末が前記レガシー領域への網再進入を終了した後、非要請で行われることを特徴とする、請求項７に記載の領域変更を通したハンドオーバーサポート方法。
【請求項１１】
（削除）
【請求項１２】
（訂正）
広帯域無線接続システムでレガシーサービング基地局から領域変更を通したハンドオーバーを行う改善端末（ＡＭＳ）装置において、
プロセッサ；及び
前記プロセッサの制御によって外部との間で無線信号を送受信するための無線通信（ＲＦ）モジュール；を含み、
前記プロセッサは、ターゲット改善基地局（ＡＢＳ）のレガシー領域（ＬＺｏｎｅ）から領域変更時点情報を含むレンジング応答メッセージ（ＲＮＧ−ＲＳＰ）を受信し、前記領域変更時点情報が指示する時点で改善端末サポート領域（ＭＺｏｎｅ）への前記領域変更を開始するように制御し、
前記領域変更時点情報は、
前記領域変更を行うのに要求される領域変更情報（Ｚｏｎｅ  Ｓｗｉｔｃｈ  ＴＬＶ）の形態で前記レンジング応答メッセージに含まれることを特徴とする改善端末装置。
【請求項１３】
（変更なし）
前記プロセッサは、
前記領域変更情報を用いて前記改善端末サポート領域のシステム情報を受信する方法で前記領域変更を開始するように制御することを特徴とする、請求項１２に記載の改善端末装置。
【請求項１４】
（変更なし）
前記プロセッサは、
前記領域変更情報を用いて前記改善端末サポート領域にレンジング要請メッセージ（ＡＡＩ＿ＲＮＧ−ＲＥＱ）を伝送するための帯域幅を要請する方法で前記領域変更を開始するように制御することを特徴とする、請求項１２に記載の改善端末装置。
【請求項１５】
（変更なし）
前記領域変更情報は、
前記改善端末サポート領域で使用されるプリアンブルインデックス（ＭＺｏｎｅ  Ａ−Ｐｒｅａｍｂｌｅ  ｉｎｄｅｘ）情報、前記レガシー領域と前記改善端末サポート領域の区分境界を示すタイムオフセット情報、前記領域変更の過程で前記改善端末装置が前記レガシー領域との連結を維持するかどうかを指示する領域変更モード情報、前記改善端末サポート領域で臨時的に前記改善端末装置を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含む、請求項１２に記載の改善端末装置。
【発明の詳細な説明】
【技術分野】
【０００１】
本発明は、広帯域無線接続システムに関し、より詳細には、領域変更を通したハンドオーバー遂行方法に関する。
【背景技術】
【０００２】
ハンドオーバー（Ｈａｎｄｏｖｅｒ、ＨＯ）は、端末が一つの基地局の無線インターフェースから他の基地局の無線インターフェースに移動することを意味する。以下では、一般的なＩＥＥＥ８０２．１６システムでのハンドオーバー手順を説明する。
【０００３】
ＩＥＥＥ８０２．１６網で、サービング基地局（ＳＢＳ：Ｓｅｒｖｉｎｇ  Ｂａｓｅ  Ｓｔａｔｉｏｎ）は、移動端末（ＭＳ：Ｍｏｂｉｌｅ  Ｓｔａｔｉｏｎ、以下、「端末」と称する。）に基本的なネットワーク構成に対する情報（トポロジー）を知らせるために隣接基地局情報を隣接公示（ＭＯＢ＿ＮＢＲ−ＡＤＶ）メッセージを介してブロードキャストすることができる。
【０００４】
ＭＯＢ＿ＮＢＲ−ＡＤＶメッセージには、サービング基地局と各隣接基地局に対するシステム情報、例えば、プリアンブルインデックス、周波数、ハンドオーバー最適化（ＨＯ  ｏｐｔｉｍｉｚａｔｉｏｎ）可能程度、及びＤＣＤ（Ｄｏｗｎｌｉｎｋ  Ｃｈａｎｎｅｌ  Ｄｅｓｃｒｉｐｔｏｒ）／ＵＣＤ（Ｕｐｌｉｎｋ  Ｃｈａｎｎｅｌ  Ｄｅｓｃｒｉｐｔｏｒ）情報などを含んでいる。
【０００５】
ＤＣＤ／ＵＣＤ情報は、端末でダウンリンクとアップリンクを介した情報交信を行うために端末が知るべき情報を含んでいる。例えば、ハンドオーバートリガー（ＨＯ  ｔｒｉｇｇｅｒ）情報、基地局のＭＡＣバージョン（Ｍｅｄｉｕｍ  Ａｃｃｅｓｓ  Ｃｏｎｔｒｏｌ  ｖｅｒｓｉｏｎ）及びＭＩＨ能力（Ｍｅｄｉａ  Ｉｎｄｅｐｅｎｄｅｎｔ  Ｈａｎｄｏｖｅｒ  ｃａｐａｂｉｌｉｔｙ）などの情報がある。
【０００６】
一般的なＭＯＢ＿ＮＢＲ−ＡＤＶメッセージでは、ＩＥＥＥ８０２．１６ｅ類型の各隣接基地局に対する情報のみを含んでいる。それによって、ＩＥＥＥ８０２．１６ｅ以外の類型を有する各隣接基地局情報は、ＳＩＩ−ＡＤＶ（Ｓｅｒｖｉｃｅ  Ｉｄｅｎｔｉｔｙ  Ｉｎｆｏｒｍａｔｉｏｎ  ＡＤＶｅｒｔｉｓｅｍｅｎｔ）メッセージを介して各端末にブロードキャストすることができる。したがって、端末は、サービング基地局にＳＩＩ−ＡＤＶメッセージを伝送することを要請することによって異機種網基地局に対する各情報を獲得することができる。
【０００７】
上述した方法を通して隣接基地局の情報を獲得した端末がＩＥＥＥ８０２．１６網でハンドオーバーを行う手順を、図１を参照してより詳細に説明する。
【０００８】
図１は、一般的なＩＥＥＥ８０２．１６システムで行えるハンドオーバー手順の一例を示す。
【０００９】
図１を参照すると、まず、端末（ＭＳ）は、サービング基地局（ＳＢＳ）に接続されてデータ交換を行うことができる（Ｓ１０１）。
【００１０】
サービング基地局は、周期的に自分に位置する隣接基地局に対する情報をＭＯＢ＿ＮＢＲ−ＡＤＶメッセージを介して端末にブロードキャストすることができる（Ｓ１０２）。
【００１１】
端末は、サービング基地局と交信をする途中で、ハンドオーバートリガー（ＨＯ  ｔｒｉｇｇｅｒ）条件を用いて各候補基地局（ｃａｎｄｉｄａｔｅ  ＨＯ  ＢＳ）に対するスキャンを開始することができる。端末は、ハンドオーバー条件、例えば、所定の履歴マージン（Ｈｙｓｔｅｒｉｓｉｓ  ｍａｒｇｉｎ）値を超えた場合、ハンドオーバー要請（ＭＯＢ＿ＭＳＨＯ−ＲＥＱ）メッセージを伝送し、サービング基地局にハンドオーバー手順遂行を要請することができる（Ｓ１０３）。
【００１２】
サービング基地局は、ＭＯＢ＿ＭＳＨＯ−ＲＥＱメッセージに含まれている各候補基地局（ｃａｎｄｉｄａｔｅ  ＨＯ  ＢＳ）にＨＯ−ＲＥＱメッセージを介して端末のハンドオーバー要請を知らせることができる（Ｓ１０４）。
【００１３】
各候補基地局（Ｃａｎｄｉｄａｔｅ  ＨＯ  ＢＳ）は、ハンドオーバーを要請した端末のための事前措置を取り、ハンドオーバーと関連した各情報をＨＯ−ＲＳＰメッセージを介してサービング基地局に伝達することができる（Ｓ１０５）。
【００１４】
サービング基地局は、各候補基地局からＨＯ−ＲＳＰメッセージを介して獲得したハンドオーバーと関連した各情報をハンドオーバー応答（ＭＯＢ＿ＢＳＨＯ−ＲＳＰ）メッセージを介して端末に伝達することができる。ここで、ＭＯＢ＿ＢＳＨＯ−ＲＳＰメッセージには、ハンドオーバーのための動作時間、ハンドオーバー識別子（ＨＯ−ＩＤ）及び専用ハンドオーバーＣＤＭＡレンジングコード（Ｄｅｄｉｃａｔｅｄ  ＨＯ  ＣＤＭＡ  ｒａｎｇｉｎｇ  ｃｏｄｅ）などのハンドオーバーを行うための情報を含ませることができる（Ｓ１０６）。
【００１５】
端末は、サービング基地局から受信したＭＯＢ＿ＢＳＨＯ−ＲＳＰメッセージに含まれた情報に基づいて、各候補基地局のうち一つのターゲット基地局を決定することができる。それによって、端末は、決定されたターゲット基地局にＣＤＭＡコードを伝送し、レンジングを試みることができる（Ｓ１０７）。
【００１６】
ＣＤＭＡコードを受信したターゲット基地局は、端末にレンジング応答（ＲＮＧ−ＲＳＰ）メッセージを介してレンジングの成功可否及び各物理補正値を伝送することができる（Ｓ１０８）。
【００１７】
次に、端末は、ターゲット基地局に認証のためのレンジング要請（ＲＮＧ−ＲＥＱ）メッセージを伝送することができる（Ｓ１０９）。
【００１８】
端末のレンジング要請メッセージを受信したターゲット基地局は、端末にＣＩＤ（Ｃｏｎｎｅｃｔｉｏｎ  ＩＤｅｎｔｉｆｉｅｒ）のような該当の基地局で使用可能なシステム情報などをレンジング応答メッセージを介して提供することができる（Ｓ１１０）。
【００１９】
ターゲット基地局が端末の認証を成功的に終了し、アップデート情報を全て伝送した場合、端末のサービング基地局にハンドオーバー完了メッセージ（ＨＯ−ＣＭＰＴ）を介してハンドオーバーの成功可否を知らせることができる（Ｓ１１１）。
【００２０】
その後、端末は、ハンドオーバーを行ったターゲット基地局と情報交換を行うことができる（Ｓ１１２）。
【００２１】
上述したハンドオーバー過程は、ＩＥＥＥ８０２．１６ｅ規格（ＷｉｒｅｌｅｓｓＭＡＮ−ＯＦＤＭＡ  Ｒ１  Ｒｅｆｅｒｅｎｃｅ  Ｓｙｓｔｅｍ）に従う端末と基地局との間で行われることを仮定している。以下、本明細書では、便宜上、ＩＥＥＥ８０２．１６ｅ規格を含む一般的な技術が適用されるシステムを「レガシーシステム（ｌｅｇａｃｙ  ｓｙｓｔｅｍ）」と称する。また、レガシー技術が適用される端末を「ＹＭＳ（Ｙａｒｄｓｔｉｃｋ  ＭＳ）」、又は「レガシー端末」、レガシー技術が適用される基地局を「レガシー基地局」、「Ｒ１  ＢＳ」又は「ＹＢＳ（Ｙａｒｄｓｔｉｃｋ  ＢＳ）」とそれぞれ称する。
【００２２】
また、ＩＥＥＥ８０２．１６ｍ規格（ＷｉｒｅｌｅｓｓＭＡＮ−ＯＦＤＭＡ  Ａｄｖａｎｃｅｄ  ｓｙｓｔｅｍ）を含む、一般的な技術より進歩した技術が適用される端末を「ＡＭＳ（Ａｄｖａｎｃｅｄ  ＭＳ）」又は「改善端末」と称し、進歩した技術が適用される基地局を「ＡＢＳ（Ａｄｖａｎｃｅｄ  ＢＳ）」又は「改善基地局」と称する。
【００２３】
ＡＭＳがＹＢＳに接続されてサービスを受けており、ＹＢＳの隣りにはＡＭＳとＹＭＳをいずれもサポートするＡＢＳ（ＷｉｒｅｌｅｓｓＭＡＮ−ＯＦＤＭＡ  Ｒ１  Ｒｅｆｅｒｅｎｃｅ  Ｓｙｓｔｅｍ／ＷｉｒｅｌｅｓｓＭＡＮ−ＯＦＤＭＡ  Ａｄｖａｎｃｅｄ  ｃｏ−ｅｘｉｓｔｉｎｇ  Ｓｙｓｔｅｍ）が存在する場合を仮定する。
【００２４】
ＹＢＳは、レガシーシステムに適用される物理チャンネルフレーム構造を有するレガシー領域（ＬＺｏｎｅ：Ｌｅｇａｃｙ  Ｚｏｎｅ）のみを有しており、ＡＢＳは、ＡＭＳのみをサポートする場合、改善システムに適用される物理チャンネルフレーム構造を有する改善端末サポート領域（ＭＺｏｎｅ：１６Ｍ  Ｚｏｎｅ）のみを有すると仮定する。また、ＡＭＳ及びＹＭＳをいずれもサポートするＡＢＳ（ＷｉｒｅｌｅｓｓＭＡＮ−ＯＦＤＭＡ  Ｒｅｆｅｒｅｎｃｅ  Ｓｙｓｔｅｍ／ＷｉｒｅｌｅｓｓＭＡＮ−ＯＦＤＭＡ  Ａｄｖａｎｃｅｄ  ｃｏ−ｅｘｉｓｔｉｎｇ  Ｓｙｓｔｅｍ：ｌｅｇａｃｙ  ｓｕｐｐｏｒｔｉｖｅ）は、レガシー領域と改善端末サポート領域を全て有し、アップリンク及びダウンリンクのそれぞれで時間単位、例えば、フレーム又はサブフレーム単位で区分（ＴＤＤ：Ｔｉｍｅ  Ｄｉｖｉｓｉｏｎ  Ｄｕｐｌｅｘ）されていると仮定する。
【００２５】
併せて、ＡＭＳは、ＡＢＳ及びＹＢＳの両方からサービスを受けられると仮定する。すなわち、ＡＭＳは、改善端末サポート領域及びレガシー領域のうちいずれか一つを通してサービスを受けることができ、レガシーシステムで定義されたハンドオーバー遂行過程と改善システムで定義されたハンドオーバー遂行過程を全て行えると仮定する。
【００２６】
通常、ＡＭＳは、サービングＹＢＳからＡＭＳ及びＹＭＳを全てサポートするＡＢＳにハンドオーバーを行うために、まず、ＡＢＳのレガシー領域に進入した後、レガシー領域で継続してサービスを受けたり、改善端末サポート領域への領域変更（Ｚｏｎｅ  ｓｗｉｔｃｈｉｎｇ）を行うことができる。また、ＡＭＳは、ＡＢＳのレガシー領域進入なしに直ぐ改善端末サポート領域への領域変更を行う方法でハンドオーバーを行うこともできる。
【００２７】
ここで、領域変更（ｚｏｎｅ  ｓｗｉｔｃｈ）をより詳細に説明すると、一つのキャリア内に時分割二重化（ＴＤＤ）で区分されるＬＺｏｎｅとＭＺｏｎｅが存在することによって、ＬＺｏｎｅで動作していたＡＭＳをＭＺｏｎｅの資源領域で動作させる手順である。すなわち、ＩＥＥＥ８０２．１６ｅ  ＭＡＣ動作でＩＥＥＥ８０２．１６ｍ  ＭＡＣ動作を行うことを意味する。これは、逆にＡＭＳがＭＺｏｎｅからＬＺｏｎｅに移動することも含む。
【００２８】
このような領域変更のためには、ＡＭＳがＹＢＳからＹＭＳ及びＡＭＳを全てサポートするＡＢＳにハンドオーバーを行うとき、ＡＭＳは、ＡＢＳから改善システム規格のサービスを受けるために自分がＡＭＳであることをＡＢＳに知らせる必要がある。また、ＡＢＳは、ＡＭＳのハンドオーバーを認識すると、改善システムのためのＡＢＳのシステム情報、すなわち、改善端末サポート領域のシステム情報をＡＭＳに伝送しなければならない。併せて、ＡＭＳは、ＡＢＳの改善システム規格のサービスを受けるために改善端末サポート領域にレンジングを試みなければならなく、このために帯域幅を要請する（Ｂａｎｄｗｉｄｔｈ  Ｒｅｑｕｅｓｔ）必要がある。
【００２９】
したがって、改善されたシステム規格に従う端末がハンドオーバーを行うためには、下位互換性（ｂａｃｋｗａｒｄ  ｃｏｍｐａｔｉｂｉｌｉｔｙ）を有しながらも効率的なハンドオーバー方法が要求される。
【発明の概要】
【発明が解決しようとする課題】
【００３０】
本発明は、前記のような一般的な技術の問題を解決するためになされたもので、その目的は、より効率的な領域変更を通したハンドオーバー遂行方法及びそれを行うための装置を提供することにある。
【００３１】
本発明の他の目的は、領域変更を通したハンドオーバー過程で改善端末がターゲット基地局の改善端末サポート領域への領域変更を行う時点を定義し、無線資源を効率的に使用できるハンドオーバー遂行方法及びそれを行うための装置を提供することにある。
【００３２】
本発明で達成しようとする技術的課題は、以上言及した各技術的課題に制限されず、言及していない他の技術的課題は、下記の記載から本発明の属する技術分野で通常の知識を有する者に明確に理解されるだろう。
【課題を解決するための手段】
【００３３】
前記のような一般的な技術の問題を解決するために、本発明の一実施例に係る広帯域無線接続システムでレガシーサービング基地局から改善端末（ＡＭＳ）が領域変更を通したハンドオーバーを行う方法は、ターゲット改善基地局（ＡＢＳ）のレガシー領域（ＬＺｏｎｅ）から領域変更時点情報を含むレンジング応答メッセージ（ＲＮＧ−ＲＳＰ）を受信すること；及び前記領域変更時点情報が指示する時点で改善端末サポート領域（ＭＺｏｎｅ）への前記領域変更を開始すること；を含む。
【００３４】
このとき、前記領域変更時点情報は、前記領域変更を行うのに要求される領域変更情報（Ｚｏｎｅ  Ｓｗｉｔｃｈ  ＴＬＶ）の形態で前記レンジング応答メッセージに含ませることができる。
【００３５】
また、前記領域変更を開始することは、前記領域変更情報を用いて前記改善端末サポート領域のシステム情報を受信することであり得る。
【００３６】
また、前記領域変更を開始することは、前記領域変更情報を用いて前記改善端末サポート領域にレンジング要請メッセージ（ＡＡＩ＿ＲＮＧ−ＲＥＱ）を伝送するための帯域幅を要請することであり得る。
【００３７】
併せて、前記領域変更情報は、前記改善端末サポート領域で使用されるプリアンブルインデックス（ＭＺｏｎｅ  Ａ−Ｐｒｅａｍｂｌｅ  ｉｎｄｅｘ）情報、前記レガシー領域と前記改善端末サポート領域の区分境界を示すタイムオフセット情報、前記領域変更の過程で前記改善端末が前記レガシー領域との連結を維持するかどうかを指示する領域変更モード（Ｚｏｎｅ  Ｓｗｉｔｃｈ  Ｍｏｄｅ）情報、前記改善端末サポート領域で臨時的に前記改善端末を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含むことができる。
【００３８】
前記のような一般的な技術の問題を解決するために、本発明の一実施例に係る広帯域無線接続システムで改善端末（ＡＭＳ）の領域変更を通したハンドオーバーをターゲット改善基地局がサポートする方法は、レガシー領域（ＬＺｏｎｅ）を通して前記改善端末に領域変更時点情報を含むレンジング応答メッセージ（ＲＮＧ−ＲＳＰ）を伝送すること；及び前記領域変更時点情報が指示する時点で改善端末サポート領域（ＭＺｏｎｅ）を通して前記改善端末サポート領域のシステム情報を放送すること；を含むことができる。
【００３９】
このとき、前記領域変更時点情報は、前記領域変更を行うのに要求される領域変更情報（Ｚｏｎｅ  Ｓｗｉｔｃｈ  ＴＬＶ）の形態で前記レンジング応答メッセージに含ませることができる。
【００４０】
また、前記領域変更情報は、前記改善端末サポート領域で使用されるプリアンブルインデックス（ＭＺｏｎｅ  Ａ−Ｐｒｅａｍｂｌｅ  ｉｎｄｅｘ）情報、前記レガシー領域と前記改善端末サポート領域の区分境界を示すタイムオフセット情報、前記領域変更の過程で前記改善端末が前記レガシー領域との連結を維持するかどうかを指示する領域変更モード（Ｚｏｎｅ  Ｓｗｉｔｃｈ  Ｍｏｄｅ）情報、前記改善端末サポート領域で臨時的に前記改善端末を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含むことができる。
【００４１】
また、前記領域変更モード情報が、前記領域変更の過程で前記改善端末が前記レガシー領域との連結を維持しないことを指示する場合、前記基地局は、前記領域変更時点情報が指示する時点から前記改善端末に前記レガシー領域を通した資源割り当てを行わないこともある。
【００４２】
併せて、前記レンジング応答メッセージを伝送することは、前記改善端末が前記レガシー領域への網再進入を終了した後、非要請で行うことができる。
【００４３】
前記のような一般的な技術の問題を解決するために、本発明の他の実施例に係る広帯域無線接続システムでレガシーサービング基地局から領域変更を通したハンドオーバーを行う改善端末（ＡＭＳ）装置は、プロセッサ；及び前記プロセッサの制御によって外部との間で無線信号を送受信するための無線通信（ＲＦ）モジュール；を含み、前記プロセッサは、ターゲット改善基地局（ＡＢＳ）のレガシー領域（ＬＺｏｎｅ）から領域変更時点情報を含むレンジング応答メッセージ（ＲＮＧ−ＲＳＰ）を受信し、前記領域変更時点情報が指示する時点で改善端末サポート領域（ＭＺｏｎｅ）への前記領域変更を開始するように制御することができる。
【００４４】
このとき、前記領域変更時点情報は、前記領域変更を行うのに要求される領域変更情報（Ｚｏｎｅ  Ｓｗｉｔｃｈ  ＴＬＶ）の形態で前記レンジング応答メッセージに含ませることができる。
【００４５】
また、前記プロセッサは、前記領域変更情報を用いて前記改善端末サポート領域のシステム情報を受信する方法で前記領域変更を開始するように制御することができる。
【００４６】
また、前記プロセッサは、前記領域変更情報を用いて前記改善端末サポート領域にレンジング要請メッセージ（ＡＡＩ＿ＲＮＧ−ＲＥＱ）を伝送するための帯域幅を要請する方法で前記領域変更を開始するように制御することができる。
【００４７】
併せて、前記領域変更情報は、前記改善端末サポート領域で使用されるプリアンブルインデックス（ＭＺｏｎｅ  Ａ−Ｐｒｅａｍｂｌｅ  ｉｎｄｅｘ）情報、前記レガシー領域と前記改善端末サポート領域の区分境界を示すタイムオフセット情報、前記領域変更の過程で前記改善端末装置が前記レガシー領域との連結を維持するかどうかを指示する領域変更モード（Ｚｏｎｅ  Ｓｗｉｔｃｈ  Ｍｏｄｅ）情報、前記改善端末サポート領域で臨時的に前記改善端末装置を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含むことができる。
【発明の効果】
【００４８】
本発明の各実施例によると、次のような効果がある。
【００４９】
第一に、本発明の各実施例を用いることによって、領域変更を通したハンドオーバー手順をより効率的に行うことができる。
【００５０】
第二に、本発明の各実施例を用いることによって、端末がターゲット基地局の改善端末サポート領域への領域変更を行う時点を定義し、無線資源を効率的に使用することができる。
【００５１】
本発明で得られる効果は、以上言及した各効果に制限されず、言及していない他の効果は、下記の記載から本発明の属する技術分野で通常の知識を有する者に明確に理解されるだろう。
【図面の簡単な説明】
【００５２】
【図１】ＩＥＥＥ８０２．１６ｅシステムで行えるハンドオーバー手順の一例を示す図である。
【図２】領域変更を用いたハンドオーバー過程の一例を示す図である。
【図３】領域変更を用いたハンドオーバー過程の他の一例を示す図である。
【図４】本発明の一実施例に係る領域変更を用いたハンドオーバー過程の一例を示す図である。
【図５】本発明の一実施例に係る領域変更を用いたハンドオーバー過程の他の一例を示す図である。
【図６】本発明の他の実施例として、送信端及び受信端の構造の一例を示すブロック図である。
【発明を実施するための形態】
【００５３】
前記技術的課題を解決するために、本発明は、改善端末（ＡＭＳ）が領域変更を行う時点を定義することによって、領域変更を通したハンドオーバーを効率的に行う各方法を開示する。
【００５４】
以下の各実施例は、本発明の各構成要素と各特徴を所定形態で結合したものである。各構成要素又は特徴は、別途の明示的な言及がない限り、選択的なものとして考慮することができる。各構成要素又は特徴は、他の構成要素や特徴と結合されていない形態で実施することができる。また、一部の構成要素及び／又は特徴を結合して本発明の実施例を構成することもできる。本発明の各実施例で説明する各動作の順序は変更可能である。一つの実施例の一部の構成や特徴は他の実施例に含ませたり、又は他の実施例の対応する構成又は特徴に取り替えることができる。
【００５５】
本明細書で、本発明の各実施例は、基地局と端末との間のデータ送受信関係を中心に説明した。ここで、基地局は、端末と直接的に通信を行うネットワークの終端ノード（ｔｅｒｍｉｎａｌ  ｎｏｄｅ）としての意味を有する。本文書で、基地局によって行われると説明した特定動作は、場合に応じては基地局の上位ノードによって行うこともできる。
【００５６】
すなわち、基地局を含む多数のネットワークノードからなるネットワークで端末との通信のために行われる多様な動作が基地局又は基地局以外の他のネットワークノードによって行われ得ることは自明である。「基地局（ＢＳ：Ｂａｓｅ  Ｓｔａｔｉｏｎ）」は、固定局、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に取り替えることができる。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）又はＳＳ（Ｓｕｂｓｃｒｉｂｅｒ  Ｓｔａｔｉｏｎ）などの用語に取り替えることができる。
【００５７】
本発明の各実施例は、多様な手段を通して具現することができる。例えば、本発明の各実施例は、ハードウェア、ファームウェア、ソフトウェア又はそれらの結合などによって具現することができる。
【００５８】
ハードウェアによる具現の場合、本発明の各実施例に係る方法は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【００５９】
ファームウェアやソフトウェアによる具現の場合、本発明の各実施例に係る方法は、以上説明した機能又は各動作を行うモジュール、手順又は関数などの形態で具現することができる。ソフトウェアコードは、メモリユニットに格納してプロセッサによって駆動することができる。前記メモリユニットは、前記プロセッサの内部又は外部に位置し、既に公知となった多様な手段によって前記プロセッサとデータを取り交わすことができる。
【００６０】
本発明の各実施例は、無線接続システムであるＩＥＥＥ８０２システム、３ＧＰＰシステム、３ＧＰＰ  ＬＴＥシステム及び３ＧＰＰ２システムのうち少なくとも一つに開示された各標準文書によって裏付けることができる。すなわち、本発明の各実施例のうち本発明の技術的思想を明確に示すために説明していない各段階又は各部分は、前記各文書によって裏付けることができる。また、本文書で開示している全ての用語は、前記標準文書によって説明することができる。特に、本発明の各実施例は、ＩＥＥＥ８０２．１６システムの標準文書であるＰ８０２．１６−２００５、Ｐ８０２．１６ｅ−２００９、Ｐ８０２．１６Ｒｅｖ２及びＰ８０２．１６ｍ文書のうちいずれか一つ以上によって裏付けることができる。
【００６１】
以下の説明で使用する特定用語は、本発明の理解を促進するために提供されたもので、このような特定用語の使用は、本発明の技術的思想を逸脱しない範囲で他の形態に変更することができる。
【００６２】
以下、本発明に係る領域変更を通したハンドオーバー過程を説明する。
【００６３】
図２は、領域変更を用いたハンドオーバー過程の一例を示す。
【００６４】
図２を参照すると、端末（ＡＭＳ）は、レガシーサービング基地局と通信する途中で、ハンドオーバートリガー（ＨＯ  ｔｒｉｇｇｅｒ）条件を用いて各候補基地局（ｃａｎｄｉｄａｔｅ  ＨＯ  ＢＳ）に対するスキャンを開始することができる。端末は、ハンドオーバー条件、例えば、所定の履歴マージン（Ｈｙｓｔｅｒｉｓｉｓ  ｍａｒｇｉｎ）値を超えた場合、ハンドオーバー要請（ＭＯＢ＿ＭＳＨＯ−ＲＥＱ）メッセージを伝送し、サービング基地局にハンドオーバー手順遂行を要請することができる（Ｓ２０１）。
【００６５】
サービング基地局は、各候補基地局から獲得したハンドオーバーと関連した各情報をハンドオーバー応答（ＭＯＢ＿ＢＳＨＯ−ＲＳＰ）メッセージを介して端末に伝達することができる。ここで、ＭＯＢ＿ＢＳＨＯ−ＲＳＰメッセージには、ハンドオーバーのための動作時間、ハンドオーバー識別子（ＨＯ−ＩＤ）及び専用ハンドオーバーＣＤＭＡレンジングコード（Ｄｅｄｉｃａｔｅｄ  ＨＯ  ＣＤＭＡ  ｒａｎｇｉｎｇ  ｃｏｄｅ）などのハンドオーバーを行うための情報を含ませることができる（Ｓ２０２）。
【００６６】
端末は、サービング基地局から受信したＭＯＢ＿ＢＳＨＯ−ＲＳＰメッセージに含まれた情報に基づいて、各候補基地局のうちレガシーサポートＡＢＳをターゲット基地局と決定することができる。それによって、端末は、サービングレガシー基地局にハンドオーバー指示メッセージを伝送することができる（Ｓ２０３）。
【００６７】
その後、端末は、ターゲット基地局のＬＺｏｎｅにレンジング要請（ＲＮＧ−ＲＥＱ）メッセージを伝送する（Ｓ２０４）。
【００６８】
このとき、レンジング要請メッセージには端末の媒体接続制御バージョン（ＭＡＣ  ｖｅｒｓｉｏｎ）情報を含ませることができ、その値はＡＭＳに該当する値に設定される。
【００６９】
基地局は、レンジング要請メッセージに含まれたＭＡＣバージョン情報や以前のサービングレガシー基地局から獲得した情報を通してレンジングメッセージを伝送した端末が改善端末（ＡＭＳ）であることを知った後、ＭＺｏｎｅへの領域変更を行わせることができる。
【００７０】
そのために、ターゲット基地局は、領域変更のために端末に要求される情報（Ｚｏｎｅ  ｓｗｉｔｃｈ  ＴＬＶ、以下、「ＺＳ  ＴＬＶ」と称する。）を含むレンジング応答（ＲＮＧ−ＲＳＰ）メッセージを端末に伝送する。
【００７１】
このとき、ＺＳ  ＴＬＶには、下記の表１のような情報を含ませることができる。
【００７２】
表１は、本発明に係るＲＮＧ−ＲＳＰメッセージに含まれるＺＳ  ＴＬＶ情報の一例を示す。
【００７３】
【表１】
2013515426.tif 000003
表１を参照すると、ＺＳ  ＴＬＶには、ＭＺｏｎｅで使用されるプリアンブルインデックス（ＭＺｏｎｅ  Ａ−Ｐｒｅａｍｂｌｅ  ｉｎｄｅｘ）情報、ＴＤＤフレーム構造でＬＺｏｎｅとＭＺｏｎｅの区分境界（又は比率）を示すタイムオフセット情報、領域変更過程で端末がＬＺｏｎｅとの連結を維持するかどうかを指示する領域変更モード情報、ＭＺｏｎｅで臨時的に端末を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報などを含ませることができる。その他にも、表１に示していないが、保安キー（ＰＭＫ）生成のためのナンス＿基地局（ＮＯＮＣＥ＿ＡＢＳ）値を含ませることもできる。
【００７４】
その後、端末は、ＺＳ  ＴＬＶに含まれた情報を用いてターゲットＡＢＳのＭＺｏｎｅとの同期化を行い（Ｓ２０６）、領域変更を行うためにレンジング要請（ＡＡＩ＿ＲＮＧ−ＲＥＱ）メッセージを伝送するためのアップリンク資源を要請（ＢＲ  ｒｅｑｕｅｓｔ  ｆｏｒ  ＡＡＩ＿ＲＮＧ−ＲＥＱ）する（図示せず）。
【００７５】
ＭＺｏｎｅから要請したアップリンク資源が割り当てられると、端末は、ＭＺｏｎｅにレンジング要請（ＡＡＩ＿ＲＮＧ−ＲＥＱ）メッセージを伝送する（Ｓ２０７）。このとき、レンジング要請メッセージのレンジング目的指示（Ｒａｎｇｉｎｇ  Ｐｕｒｐｏｓｅ  Ｉｎｄｉｃａｔｉｏｎ）フィールドの値は、ＬＺｏｎｅからＭＺｏｎｅへの領域変更を指示する値（例えば、０ｂ１０１０）に設定される。
【００７６】
ターゲットＡＢＳは、端末が伝送したレンジング要請メッセージに対する応答としてレンジング応答（ＡＡＩ＿ＲＮＧ−ＲＳＰ）メッセージを端末に伝送する（Ｓ２０８）。
【００７７】
その後、端末は、ＭＺｏｎｅへの領域変更を終了し、ＭＺｏｎｅを通してターゲットＡＢＳと正常な通信を行うことができる（Ｓ２０９）。
【００７８】
図２を参照して説明した方法は、端末がターゲット基地局のＬＺｏｎｅへの網再進入を終了していない状態でＭＺｏｎｅへの領域変更を行うが、端末がＬＺｏｎｅへの網再進入を終了した後、ＭＺｏｎｅへの領域変更を行うこともできる。これを図３を参照して説明する。
【００７９】
図３は、領域変更を用いたハンドオーバー過程の他の一例を示す。
【００８０】
図３のＳ３０１段階〜Ｓ３０４過程は、図２のＳ２０１段階〜Ｓ２０４段階と類似するので、明細書の簡明さのために重複する説明は省略する。
【００８１】
端末からＲＮＧ−ＲＥＱメッセージを受信したターゲット基地局は、レンジング要請メッセージに含まれたＭＡＣバージョン情報や以前のサービングレガシー基地局から獲得した情報を通してレンジングメッセージを伝送した端末が改善端末（ＡＭＳ）であることを知った後、ＭＺｏｎｅへの領域変更を行わせることができる。ただし、ターゲット基地局は、ＬＺｏｎｅとＭＺｏｎｅとの間の負荷バランシングなどの理由で端末の領域変更を留保することができる。
【００８２】
それによって、ターゲット基地局は、ＺＳ  ＴＬＶが含まれていないレンジング応答（ＲＮＧ−ＲＳＰ）メッセージを端末に伝送し（Ｓ３０５）、端末は、ターゲット基地局のＬＺｏｎｅへの網再進入を終了し、正常な通信を行うことができる（Ｓ３０６）。
【００８３】
その後、ターゲット基地局が該当の端末にＭＺｏｎｅへの領域変更を指示することに決定した場合、ＺＳ  ＴＬＶを含むレンジング応答（ＲＮＧ−ＲＳＰ）メッセージを非要請で（ｕｎｓｏｌｉｃｉｔｅｄ）端末に伝送することができる（Ｓ３０７）。
【００８４】
それによって、端末は、ＺＳ  ＴＬＶに含まれた情報を用いてターゲットＡＢＳのＭＺｏｎｅとの同期化を行い（Ｓ３０８）、領域変更を行うためにレンジング要請（ＡＡＩ＿ＲＮＧ−ＲＥＱ）メッセージを伝送するためのアップリンク資源を要請（ＢＲ  ｒｅｑｕｅｓｔ  ｆｏｒ  ＡＡＩ＿ＲＮＧ−ＲＥＱ）する（図示せず）。
【００８５】
ＭＺｏｎｅから要請したアップリンク資源が割り当てられると、端末は、ＭＺｏｎｅにレンジング要請（ＡＡＩ＿ＲＮＧ−ＲＥＱ）メッセージを伝送する（Ｓ３０９）。このとき、レンジング要請メッセージのレンジング目的指示（Ｒａｎｇｉｎｇ  Ｐｕｒｐｏｓｅ  Ｉｎｄｉｃａｔｉｏｎ）フィールドの値は、ＬＺｏｎｅからＭＺｏｎｅへの領域変更を指示する値（例えば、０ｂ１０１０）に設定される。
【００８６】
ターゲットＡＢＳは、端末が伝送したレンジング要請メッセージに対する応答としてレンジング応答（ＡＡＩ＿ＲＮＧ−ＲＳＰ）メッセージを端末に伝送する（Ｓ３１０）。
【００８７】
その後、端末は、ＭＺｏｎｅへの領域変更を終了し、ＭＺｏｎｅを通してターゲットＡＢＳと正常な通信を行うことができる（Ｓ３１１）。
【００８８】
領域変更と関連した時点の定義
端末が領域変更を行うことは、端末がハンドオーバーを行うことと類似する。これは、端末と基地局との間のデータ経路がＬＺｏｎｅからＭＺｏｎｅに変更されるためである。データ経路が変更されることは、特定時点で現在のデータ経路を終了し、領域変更を行った対象領域で新しくデータ経路を設定し、データ交換を継続して行うことを意味する。
【００８９】
ところが、端末がＬＺｏｎｅからＭＺｏｎｅへの領域変更を行うとき、基地局の立場では、基準になる時点、タイマー又は限界時点（ｄｅａｄｌｉｎｅ）に基づいて該当の手順を行うとより効率的である。これは、このような時点やタイマーがない場合、領域変更途中の端末の動作に対する定義が不明確になるためである。
【００９０】
また、端末がＬＺｏｎｅからＭＺｏｎｅへの領域変更を行うとき、ＭＺｏｎｅで網再進入を終了する時点、又はＬＺｏｎｅでデータ交換を終了する時点に対する明確な定義が必要である。そうでない場合、基地局が端末といつまでデータ交換を行うかに対する基準がないため、データ損失が発生し得る。特に、領域変更モードが０である場合（すなわち、Ｚｏｎｅ  Ｓｗｉｔｃｈ  Ｍｏｄｅ＝０）、端末は、ＭＺｏｎｅへの領域変更を行う前にＬＺｏｎｅとのデータ通信を切る。したがって、端末がＭＺｏｎｅへの領域変更を試みる時点を基地局が知っていない場合、すなわち、時点が定義されていない場合、端末は、ＬＺｏｎｅとのデータ通信を切ったにもかかわらず、継続して資源割り当てやデータ伝送を試みることもでき、データ損失や無線資源の浪費が発生し得る。
【００９１】
このようなデータ経路の変更とデータ経路の構築を設定するために、大きく二つの基準を設定することができる。
【００９２】
第一に、端末が領域変更をいつから行うかに対する基準が必要である。すなわち、データ経路構築（ｄａｔａ  ｐａｔｈ  ｅｓｔａｂｌｉｓｈ又はｎｅｔｗｏｒｋ  ｒｅ−ｅｎｔｒｙ）をいつから開始するかに対する基準になる。この場合、基準情報は、特定時点を示す形態になり得る。
【００９３】
第二に、端末が領域変更をいつまで行うべきであるかに対する基準になり得る。すなわち、データ経路構築をいつまで開始（許容）できるかに対する基準になる。この場合、基準情報は、タイマーや限界時点の形態になり得る。
【００９４】
本明細書では、上述した本発明に係る基準時点を便宜上「ＺＳ  ｔｉｍｅ」と称する。もし、ＺＳ  ｔｉｍｅ情報がＲＮＧ−ＲＳＰメッセージに含まれるＺＳ  ＴＬＶに含まれる場合、「ＺＳ  ｔｉｍｅ」は「動作時間（Ａｃｔｉｏｎ  Ｔｉｍｅ）」と称することもできる。
【００９５】
以下、ＺＳ  ｔｉｍｅの定義基準によって区分して本発明の実施例を説明する。
【００９６】
ＺＳ  ｔｉｍｅを領域変更開始時点と定義する場合
ＡＭＳが領域変更を開始する時点とＺＳ  ｔｉｍｅを定義する場合の領域変更を通したハンドオーバー遂行方法の一例を図４を参照して説明する。
【００９７】
図４は、本発明の一実施例に係る領域変更を用いたハンドオーバー過程の一例を示す。
【００９８】
図４を参照すると、端末（ＡＭＳ）は、サービングレガシー基地局への網初期進入又は網再進入を行い、データ経路を構築し、正常な通信を行う途中で（Ｓ４０１）、ハンドオーバートリガー（ＨＯ  ｔｒｉｇｇｅｒ）条件を用いて各候補基地局（ｃａｎｄｉｄａｔｅ  ＨＯ  ＢＳ）に対するスキャンを開始することができる。
【００９９】
端末は、ハンドオーバー条件、例えば、所定の履歴マージン（Ｈｙｓｔｅｒｉｓｉｓ  ｍａｒｇｉｎ）値を超えた場合、ハンドオーバー要請（ＭＯＢ＿ＭＳＨＯ−ＲＥＱ）メッセージを伝送し、サービング基地局にハンドオーバー手順遂行を要請することができる（Ｓ４０２）。
【０１００】
もし、基地局がハンドオーバーを端末に指示する場合（ＢＳ−ｉｎｉｔｉａｔｅｄ  ＨＯ）、Ｓ４０２手順は省略可能である。
【０１０１】
サービングレガシー基地局は、各候補基地局から獲得したハンドオーバーと関連した各情報をハンドオーバー応答（ＭＯＢ＿ＢＳＨＯ−ＲＳＰ）メッセージを介して端末に伝達することができる。ここで、ＭＯＢ＿ＢＳＨＯ−ＲＳＰメッセージには、ハンドオーバーのための動作時間、ハンドオーバー識別子（ＨＯ−ＩＤ）及び専用ハンドオーバーＣＤＭＡレンジングコード（Ｄｅｄｉｃａｔｅｄ  ＨＯ  ＣＤＭＡ  ｒａｎｇｉｎｇ  ｃｏｄｅ）などのハンドオーバーを行うための各情報を含ませることができる（Ｓ４０３）。
【０１０２】
端末は、サービング基地局から受信したＭＯＢ＿ＢＳＨＯ−ＲＳＰメッセージに含まれた情報に基づいて、各候補基地局のうちレガシーサポート（ｍｉｘｅｄ  ｍｏｄｅ）ＡＢＳをターゲット基地局と決定することができる。それによって、端末は、サービングレガシー基地局にハンドオーバー指示（ＨＯ＿ＩＮＤ）メッセージを伝送することができる（Ｓ４０４）。
【０１０３】
その後、端末は、ターゲット基地局のＬＺｏｎｅにレンジング要請（ＲＮＧ−ＲＥＱ）メッセージを伝送する（Ｓ４０５）。
【０１０４】
このとき、レンジング要請メッセージには、端末の媒体接続制御バージョン（ＭＡＣ  ｖｅｒｓｉｏｎ）情報を含ませることができ、その値はＡＭＳに該当する値に設定される。
【０１０５】
基地局は、レンジング要請メッセージに含まれたＭＡＣバージョン情報や以前のサービングレガシー基地局から獲得した情報を通してレンジングメッセージを伝送した端末が改善端末（ＡＭＳ）であることを知った後、ＭＺｏｎｅへの領域変更を行わせることができる。
【０１０６】
そのために、ターゲット基地局は、領域変更のために端末に要求される情報であるＺＳ  ＴＬＶを含むレンジング応答（ＲＮＧ−ＲＳＰ）メッセージを端末に伝送する。このとき、ＺＳ  ｔｉｍｅ情報も、下記の表２のようにＺＳ  ＴＬＶに含ませることができる。
【０１０７】
表２は、本発明の一実施例に係るレンジング応答メッセージに含まれるＺＳ  ＴＬＶ構成の一例を示す。
【０１０８】
【表２】
2013515426.tif 000004
表２を参照すると、表１に比べてＺＳ  ｔｉｍｅ情報を示す動作時間（Ａｃｔｉｏｎ  Ｔｉｍｅ）フィールドが追加され、端末がＭＺｏｎｅへの領域変更を行う時点を指示することができる。このとき、領域変更モードが「０」である場合、ターゲット基地局がＺＳ  ｔｉｍｅからＬＺｏｎｅを通したＡＭＳへの資源割り当てが中断されることを明示することによって、無線資源の浪費を防止することができる。
【０１０９】
端末は、ＺＳ  ｔｉｍｅ情報が指示する時点で領域変更を開始するために、ターゲット基地局のＭＺｏｎｅにレンジング要請（ＡＡＩ＿ＲＮＧ−ＲＥＱ）メッセージを伝送するためのアップリンク資源を要請することができる（Ｓ４０７）。ここで、領域変更モード＝「０」である場合、表２の定義によって本時点からＬＺｏｎｅを通した資源割り当ては中断される。
【０１１０】
それによって、ターゲット基地局は、端末が要請したアップリンク資源を割り当て（Ｓ４０８）、端末は、割り当てられたアップリンク資源を通してレンジング要請メッセージをＭＺｏｎｅに伝送する（Ｓ４０９）。
【０１１１】
このとき、レンジング要請メッセージのレンジング目的指示（Ｒａｎｇｉｎｇ  Ｐｕｒｐｏｓｅ  Ｉｎｄｉｃａｔｉｏｎ）フィールドの値は、ＬＺｏｎｅからＭＺｏｎｅへの領域変更を指示する値（例えば、０ｂ１０１０）に設定される。
【０１１２】
ターゲットＡＢＳは、端末が伝送したレンジング要請メッセージに対する応答としてレンジング応答（ＡＡＩ＿ＲＮＧ−ＲＳＰ）メッセージを端末に伝送する（Ｓ４１０）。
【０１１３】
その後、端末は、ＭＺｏｎｅへの領域変更を終了し、ＭＺｏｎｅを通してターゲットＡＢＳと正常な通信を行うことができる（Ｓ４１１）。
【０１１４】
図４を参照して説明した手順で、ＡＡＩ＿ＲＮＧ−ＲＥＱメッセージを伝送するためのアップリンク資源の要請（ＢＲ  ｆｏｒ  ＡＡＩ＿ＲＮＧ−ＲＥＱ）を行うとき、ＡＭＳが領域変更を開始すると説明したが、アップリンク資源を要請するためには、端末がＭＺｏｎｅのシステム情報を知る必要がある。したがって、端末の領域変更開始時点をＭＺｏｎｅのシステム情報を受信する時点、すなわち、ＭＺｏｎｅのスーパーフレームヘッダーを受信する時点と見なすこともできる。この場合、ＺＳ  ｔｉｍｅ（Ａｃｔｉｏｎ  Ｔｉｍｅ）情報は、ＭＺｏｎｅのＳＦＨ（特に、帯域要請／網再進入を行うためのＳ−ＳＦＨ  ＩＥ）が伝送される時点を指示することができる。ＺＳ  ｔｉｍｅ情報がＭＺｏｎｅのＳＦＨが伝送される時点を指示する場合、端末は、ＭＺｏｎｅのシステム情報を獲得するために不要なデコーディングを行ったり、ＳＦＨ伝送を待機しなくてもよいので効率的である。
【０１１５】
一方、本実施例に係るＺＳ  ｔｉｍｅの定義は、まず、ＬＺｏｎｅへの網再進入を完了した後、ＭＺｏｎｅへの領域変更を行う場合にも適用することができる。これを図５を参照して説明する。
【０１１６】
図５は、本発明の一実施例に係る領域変更を用いたハンドオーバー過程の他の一例を示す。
【０１１７】
図５のＳ５０１段階〜Ｓ５０６段階は、図４のＳ４０１段階〜Ｓ４０６段階とそれぞれ類似するので、明細書の簡明さのために重複する説明は省略する。
【０１１８】
端末は、ＺＳ  ｔｉｍｅ情報が指示する時点が来るまでにＬＺｏｎｅへの網再進入を完了したが（Ｓ５０７）、ＭＺｏｎｅのＳＦＨを成功的に受信できなかったため、ＭＺｏｎｅへの領域変更をＺＳ  ｔｉｍｅ情報が指示する時点に行えないこともある。この場合、端末は、正式的に領域変更を再び行うべきである。
【０１１９】
このために、端末がＬＺｏｎｅに再びＺＳ  ＴＬＶを要請するためにレンジング要請メッセージを伝送し（Ｓ５０８）、基地局が非要請でＺＳ  ＴＬＶを含むレンジング応答メッセージを端末に伝送する（Ｓ５０９）。
【０１２０】
それによって、端末は、ＺＳ  ＴＬＶに含まれたＺＳ  ｔｉｍｅ情報が指示する時点で再び領域変更を試みることができる。
【０１２１】
以後に行うＳ５０９段階〜Ｓ５１４段階は、図４のＳ４０７段階〜Ｓ４１１段階とそれぞれ類似するので、重複する説明は省略する。
【０１２２】
図５を参照して説明した手順で、基地局の判断にしたがってＳ５０６手順で端末に伝送されるレンジング応答メッセージにＺＳ  ＴＬＶを含ませないこともある。この場合、端末がＬＺｏｎｅに一般的な網再進入を行うようになり、以後のＳ５０７段階からの上述した手順をそのまま従うことができる。また、図５でも、端末の領域変更開始をＭＺｏｎｅのＳＦＨ受信と定義する場合、ＺＳ  ｔｉｍｅ（Ａｃｔｉｏｎ  Ｔｉｍｅ）情報は、ＭＺｏｎｅのＳＦＨ（特に、帯域要請／網再進入を行うためのＳ−ＳＦＨ  ＩＥ）が伝送される時点を指示することができる。
【０１２３】
ＺＳ  ｔｉｍｅを領域変更遂行限界時点と定義する場合
端末がＭＺｏｎｅへの領域変更を行う最終決定は一般的に基地局が行う。しかし、実際に端末がＭＺｏｎｅへの領域変更を行える時点は、端末がＭＺｏｎｅに対するシステム情報を全て受信した後からである。システム情報は、ＭＺｏｎｅのスーパーフレームヘッダー（ＳＦＨ）情報になる。ここでは、サブパケット１（Ｓ−ＳＦＨ  ＩＥ  ＳＰ１）〜サブパケット３（Ｓ−ＳＦＨ  ＩＥ  ＳＰ３）の情報が含まれ、これは、端末がＭＺｏｎｅを通してターゲットＡＢＳと正常なデータ通信を行うための各設定情報である。しかし、従来のシステムでＬＺｏｎｅで動作している端末は、ＭＺｏｎｅのＳＦＨを成功的に受信完了したかに対する指示を基地局に行えない。
【０１２４】
したがって、基地局では、端末が領域の変更を行う正確な時点よりは、端末に領域変更の遂行を許容する限界時点（ｄｅａｄｌｉｎｅ）を定め、端末が該当の限界時点以内にＭＺｏｎｅのＳＦＨを全て受信した後、領域変更を行わせることもできる。すなわち、ターゲットＡＢＳは、限界時点（ｄｅａｄｌｉｎｅ）を端末にＺＳ  ＴＬＶを通して知らせるようになり、端末は該当の時間内に領域変更を開始する。
【０１２５】
このとき、表２の動作時間（Ａｃｔｉｏｎ  Ｔｉｍｅ）情報の説明は下記のように修正することができる。
【０１２６】
−  Ａｃｔｉｏｎ  Ｔｉｍｅ（ＺＳ  ｔｉｍｅ）：Ｔｈｅ  ｔｉｍｅ  ｄｕｒｉｎｇ  ｗｈｉｃｈ  ｔｈｅ  ＡＭＳ  ｓｈａｌｌ  ｐｅｒｆｏｒｍ  ｚｏｎｅ  ｓｗｉｔｃｈ  ｔｏ  ＭＺｏｎｅ
ＺＳ  ｔｉｍｅを限界時点と見なす場合にも、どの手順まで完了したときに該当の限界時点を満足したと見なすかに対して定義される必要がある。第一に、上述した定義にしたがって、端末は、ＺＳ  ＴＬＶに含まれたＺＳ  ｔｉｍｅ情報が指示する時点までＭＺｏｎｅのＳＦＨ受信を終了すると見なすことができる。第二に、ＺＳ  ｔｉｍｅ情報が指示する時点までＭＺｏｎｅにＡＡＩ＿ＲＮＧ−ＲＥＱメッセージを伝送するためのアップリンク資源割り当てを要請する過程を行うと見なすこともできる。
【０１２７】
上述したようにＺＳ  ｔｉｍｅを領域変更遂行を許容する限界時点と見なす場合にも、領域変更を通したハンドオーバー手順は図４及び図５にそのまま適用することができる。ただし、ＺＳ  ｔｉｍｅが指示する時点で領域変更が開始されるのではなく、該当の時点まで領域変更が開始されなければならないという点で異なる。
【０１２８】
端末及び基地局の構造
以下、本発明の他の実施例として、上述した本発明の各実施例を行える端末及び基地局（ＦＢＳ、ＭＢＳ）を説明する。
【０１２９】
端末は、アップリンクでは送信機として動作し、ダウンリンクでは受信機として動作することができる。また、基地局は、アップリンクでは受信機として動作し、ダウンリンクでは送信機として動作することができる。すなわち、端末及び基地局は、情報又はデータの伝送のために送信機及び受信機を含むことができる。
【０１３０】
送信機及び受信機は、本発明の各実施例を行うためのプロセッサ、モジュール、部分及び／又は手段などを含むことができる。特に、送信機及び受信機は、メッセージを暗号化するためのモジュール（手段）、暗号化されたメッセージを解釈するためのモジュール、メッセージを送受信するためのアンテナなどを含むことができる。このような送信端と受信端の一例を図６を参照して説明する。
【０１３１】
図６は、本発明の他の実施例として、送信端及び受信端の構造の一例を示すブロック図である。
【０１３２】
図６を参照すると、左側は送信端の構造を示し、右側は受信端の構造を示す。送信端と受信端のそれぞれは、アンテナ５、１０、プロセッサ２０、３０、伝送モジュール（Ｔｘ  ｍｏｄｕｌｅ）４０、５０、受信モジュール（Ｒｘ  ｍｏｄｕｌｅ）６０、７０及びメモリ８０、９０を含むことができる。各構成要素は、互いに対応する機能を行うことができる。以下、各構成要素をより詳細に説明する。
【０１３３】
アンテナ５、１０は、伝送モジュール４０、５０で生成された信号を外部に伝送したり、外部から無線信号を受信して受信モジュール６０、７０に伝達する機能を行う。多重アンテナ（ＭＩＭＯ）機能がサポートされる場合は２個以上備えることができる。
【０１３４】
アンテナ、伝送モジュール及び受信モジュールは、いずれも無線通信（ＲＦ）モジュールを構成することができる。
【０１３５】
プロセッサ２０、３０は、通常、移動端末機全体の全般的な動作を制御する。例えば、上述した本発明の各実施例を行うためのコントローラ機能、サービス特性及び電波環境によるＭＡＣ（Ｍｅｄｉｕｍ  Ａｃｃｅｓｓ  Ｃｏｎｔｒｏｌ）フレーム可変制御機能、ハンドオーバー（Ｈａｎｄ  Ｏｖｅｒ）機能、認証及び暗号化機能などを行うことができる。より具体的に、プロセッサ２０、３０は、図２〜図５に示した領域変更を通したハンドオーバーを行うための全般的な制御を行うことができる。
【０１３６】
特に、移動端末機（ＡＭＳ）のプロセッサは、レガシーをサポートするＡＢＳにハンドオーバーを行うとき、ターゲットＡＢＳのＬＺｏｎｅからＺＳ  ＴＬＶを含むレンジング応答メッセージを受信するように受信モジュールを制御する。このとき、ＺＳ  ＴＬＶには、領域変更の遂行と関連した時点を指示するＺＳ  ｔｉｍｅ（Ａｃｔｉｏｎ  ｔｉｍｅ）情報が含まれる。プロセッサは、ＺＳ  ｔｉｍｅの定義にしたがって該当の時点まで領域変更を開始したり、該当の時点に領域変更を開始するように制御することができる。
【０１３７】
その他にも、端末のプロセッサは、上述した各実施例に開示された動作過程の全般的な制御動作を行うことができる。
【０１３８】
伝送モジュール４０、５０は、プロセッサ２０、３０からスケジューリングされて外部に伝送されるデータに対して所定の符号化及び変調を行った後、これをアンテナ１０に伝達することができる。
【０１３９】
受信モジュール６０、７０は、外部からアンテナ５、１０を介して受信された無線信号に対する復号及び復調を行い、これを原本データの形態に復元してプロセッサ２０、３０に伝達することができる。
【０１４０】
メモリ８０、９０は、プロセッサ２０、３０の処理及び制御のためのプログラムを格納することもでき、入／出力される各データの臨時格納のための機能を行うこともできる。また、メモリ８０、９０は、フラッシュメモリタイプ、ハードディスクタイプ、マルチメディアカードマイクロタイプ、カードタイプのメモリ（例えば、ＳＤ又はＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち少なくとも一つのタイプの格納媒体を含むことができる。
【０１４１】
一方、基地局は、上述した本発明の各実施例を行うためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャンネル多重化機能、サービス特性及び電波環境によるＭＡＣフレーム可変制御機能、高速トラフィック実時間制御機能、ハンドオーバー機能、認証及び暗号化機能、データ伝送のためのパケット変復調機能、高速パッケージチャンネルコーディング機能及び実時間モデム制御機能などを上述したモジュールのうち少なくとも一つを通して行ったり、このような機能を行うための別途の手段、モジュール又は部分などをさらに含むことができる。
【０１４２】
本発明は、本発明の精神及び必須的特徴を逸脱しない範囲で他の特定の形態に具体化することができる。したがって、前記の詳細な説明は、全ての面で制限的に解釈してはならなく、例示的なものと考慮しなければならない。本発明の範囲は、添付の請求項の合理的解釈によっ決定しなければならなく、本発明の等価的範囲内での全ての変更は本発明の範囲に含まれる。また、特許請求の範囲で明示的な引用関係のない各請求項を結合して実施例を構成したり、出願後の補正によって新しい請求項として含ませることができる。
（項目１）
広帯域無線接続システムでレガシーサービング基地局から改善端末（ＡＭＳ）が領域変更を通したハンドオーバーを行う方法において、
ターゲット改善基地局（ＡＢＳ）のレガシー領域（ＬＺｏｎｅ）から領域変更時点情報を含むレンジング応答メッセージ（ＲＮＧ−ＲＳＰ）を受信すること；及び
上記領域変更時点情報が指示する時点で改善端末サポート領域（ＭＺｏｎｅ）への上記領域変更を開始すること；を含む、領域変更を通したハンドオーバー遂行方法。
（項目２）
上記領域変更時点情報は、
上記領域変更を行うのに要求される領域変更情報（Ｚｏｎｅ  Ｓｗｉｔｃｈ  ＴＬＶ）の形態で上記レンジング応答メッセージに含まれることを特徴とする、項目１に記載の領域変更を通したハンドオーバー遂行方法。
（項目３）
上記領域変更を開始することは、
上記領域変更情報を用いて上記改善端末サポート領域のシステム情報を受信することであることを特徴とする、項目２に記載の領域変更を通したハンドオーバー遂行方法。
（項目４）
上記領域変更を開始することは、
上記領域変更情報を用いて上記改善端末サポート領域にレンジング要請メッセージ（ＡＡＩ＿ＲＮＧ−ＲＥＱ）を伝送するための帯域幅を要請することであることを特徴とする、項目２に記載の領域変更を通したハンドオーバー遂行方法。
（項目５）
上記領域変更情報は、
上記改善端末サポート領域で使用されるプリアンブルインデックス（ＭＺｏｎｅ  Ａ−Ｐｒｅａｍｂｌｅ  ｉｎｄｅｘ）情報、上記レガシー領域と上記改善端末サポート領域の区分境界を示すタイムオフセット情報、上記領域変更の過程で上記改善端末が上記レガシー領域との連結を維持するかどうかを指示する領域変更モード情報、上記改善端末サポート領域で臨時的に上記改善端末を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含む、項目２に記載の領域変更を通したハンドオーバー遂行方法。
（項目６）
広帯域無線接続システムで改善端末（ＡＭＳ）の領域変更を通したハンドオーバーをターゲット改善基地局がサポートする方法において、
レガシー領域（ＬＺｏｎｅ）を通して上記改善端末に領域変更時点情報を含むレンジング応答メッセージ（ＲＮＧ−ＲＳＰ）を伝送すること；及び
上記領域変更時点情報が指示する時点で改善端末サポート領域（ＭＺｏｎｅ）を通して上記改善端末サポート領域のシステム情報を放送すること；を含む、領域変更を通したハンドオーバーサポート方法。
（項目７）
上記領域変更時点情報は、
上記領域変更を行うのに要求される領域変更情報（Ｚｏｎｅ  Ｓｗｉｔｃｈ  ＴＬＶ）の形態で上記レンジング応答メッセージに含まれることを特徴とする、項目６に記載の領域変更を通したハンドオーバーサポート方法。
（項目８）
上記領域変更情報は、
上記改善端末サポート領域で使用されるプリアンブルインデックス（ＭＺｏｎｅ  Ａ−Ｐｒｅａｍｂｌｅ  ｉｎｄｅｘ）情報、上記レガシー領域と上記改善端末サポート領域の区分境界を示すタイムオフセット情報、上記領域変更の過程で上記改善端末が上記レガシー領域との連結を維持するかどうかを指示する領域変更モード情報、上記改善端末サポート領域で臨時的に上記改善端末を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含む、項目７に記載の領域変更を通したハンドオーバーサポート方法。
（項目９）
上記領域変更モード情報が、上記領域変更の過程で上記改善端末が上記レガシー領域との連結を維持しないことを指示する場合、
上記基地局は、上記領域変更時点情報が指示する時点から上記改善端末に上記レガシー領域を通した資源割り当てを行わないことを特徴とする、項目８に記載の領域変更を通したハンドオーバーサポート方法。
（項目１０）
上記レンジング応答メッセージを伝送することは、
上記改善端末が上記レガシー領域への網再進入を終了した後、非要請で行われることを特徴とする、項目６に記載の領域変更を通したハンドオーバーサポート方法。
（項目１１）
広帯域無線接続システムでレガシーサービング基地局から領域変更を通したハンドオーバーを行う改善端末（ＡＭＳ）装置において、
プロセッサ；及び
上記プロセッサの制御によって外部との間で無線信号を送受信するための無線通信（ＲＦ）モジュール；を含み、
上記プロセッサは、
ターゲット改善基地局（ＡＢＳ）のレガシー領域（ＬＺｏｎｅ）から領域変更時点情報を含むレンジング応答メッセージ（ＲＮＧ−ＲＳＰ）を受信し、上記領域変更時点情報が指示する時点で改善端末サポート領域（ＭＺｏｎｅ）への上記領域変更を開始するように制御することを特徴とする改善端末装置。
（項目１２）
上記領域変更時点情報は、
上記領域変更を行うのに要求される領域変更情報（Ｚｏｎｅ  Ｓｗｉｔｃｈ  ＴＬＶ）の形態で上記レンジング応答メッセージに含まれることを特徴とする、項目１１に記載の改善端末装置。
（項目１３）
上記プロセッサは、
上記領域変更情報を用いて上記改善端末サポート領域のシステム情報を受信する方法で上記領域変更を開始するように制御することを特徴とする、項目１２に記載の改善端末装置。
（項目１４）
上記プロセッサは、
上記領域変更情報を用いて上記改善端末サポート領域にレンジング要請メッセージ（ＡＡＩ＿ＲＮＧ−ＲＥＱ）を伝送するための帯域幅を要請する方法で上記領域変更を開始するように制御することを特徴とする、項目１２に記載の改善端末装置。
（項目１５）
上記領域変更情報は、
上記改善端末サポート領域で使用されるプリアンブルインデックス（ＭＺｏｎｅ  Ａ−Ｐｒｅａｍｂｌｅ  ｉｎｄｅｘ）情報、上記レガシー領域と上記改善端末サポート領域の区分境界を示すタイムオフセット情報、上記領域変更の過程で上記改善端末装置が上記レガシー領域との連結を維持するかどうかを指示する領域変更モード情報、上記改善端末サポート領域で臨時的に上記改善端末装置を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含む、項目１２に記載の改善端末装置。
【産業上の利用可能性】
【０１４３】
上述した広帯域無線接続システムでより効率的な領域変更を通したハンドオーバー遂行手順及びこのための端末構造は、ＩＥＥＥ８０２．１６ｍシステムに適用される例を中心に説明したが、ＩＥＥＥ８０２．ｘｘシステムの他にも、３ＧＰＰ／３ＧＰＰ２などの他の多様な移動通信システムに適用可能である。
【図１】
2013515426.tif 000005
【図２】
2013515426.tif 000006
【図３】
2013515426.tif 000007
【図４】
2013515426.tif 000008
【図５】
2013515426.tif 000009
【図６】
2013515426.tif 000010
【国際調査報告】
2013515426.tif 000011
2013515426.tif 000012
2013515426.tif 000013
2013515426.tif 000014